(57)【要約】【課題】角部養生部材を傷めることなく何度でも繰り返し使用することができる角部養生部材を固定具を提供する。【解決手段】角部１００の養生を行うための角部養生部材１０を角部１００上に固定するための角部養生部材１０の固定具１において、角部１００上を覆うように成る覆い部２と、覆い部２の内面２ａ側上に高さ方向の一端から所定距離ｔ１離反させた箇所に凸状の段差を形成する段差部３と、段差部３の内面３ａ側上面に形成された接着部４とを備えたものである。【選択図】図１
2010196337.tif 000002
【特許請求の範囲】
【請求項１】
角部の養生を行うための角部養生部材を上記角部上に固定するための角部養生部材の固定具において、上記角部上を覆うように成る覆い部と、上記覆い部の内面側上に高さ方向の一端から所定距離離反させた箇所に凸状の段差を形成する段差部とを備えたことを特徴とする角部養生部材の固定具。
【請求項２】
上記段差部の内面側上面に形成された接着部とを備えたことを特徴とする請求項１に記載の角部養生部材の固定具。
【請求項３】
上記段差部は、上記覆い部の高さ方向の他端から所定距離離反されて形成されていることを特徴とする請求項１または請求項２に記載の角部養生部材の固定具。
【請求項４】
上記段差部の段差の厚みは、上記角部養生部材の厚みと略同一に形成されていることを特徴とする請求項１ないし請求項３のいずれか１項に記載の角部養生部材の固定具。
【請求項５】
上記段差部の段差の厚みは、上記角部養生部材の厚みより厚く形成されていることを特徴とする請求項１ないし請求項３のいずれか１項に記載の角部養生部材の固定具。
【請求項６】
上記段差部は、矩形状の板体にて形成されることを特徴とする請求項１ないし請求項５のいずれか１項に記載の角部養生部材の固定具。
【請求項７】
上記角部上を覆うように成る矩形状の角部養生部材の固定具において、上記段差部の矩形状の高さ方向に対して垂直な方向の一辺の長さは、上記角部養生部材の矩形状の高さ方向に対して垂直な方向の一辺の長さと略同一に長さにて形成されていることを特徴とする請求項６に記載の角部養生部材の固定具。
【発明の詳細な説明】
【技術分野】
【０００１】
この発明は、角部を簡便に養生することができ、かつ、角部養生部材を繰り返し使用することができる角部養生部材の固定具に関するものである。
【背景技術】
【０００２】
従来の角部保護用養生部材は、上面と下面とを有し、Ｌ字形状を有する樹脂からなる第１の養生部材と、上面と下面とを有し、その上面が前記第１の養生部材の下面に貼り合わされた衝撃吸収性を有する材料からなる第２の養生部材と、第２の養生部材の下面に設けられ、第１および第２の養生部材を被養生物に固定するための再剥離可能な接着表面を有する接着部材とを備えたものである（例えば、特許文献１参照）。
【先行技術文献】
【特許文献】
【０００３】
【特許文献１】特開平１１−５６５０７号公報
【発明の概要】
【発明が解決しようとする課題】
【０００４】
従来の角部養生部材は、角部養生部材に再剥離可能な接着部材を備えているが、その再剥離の回数は限定的であり多数回使用することができないという問題点があった。
【０００５】
この発明は上記のような課題を解決するためになされたものであり、角部養生部材を傷めることなく何度でも繰り返し使用することができる角部養生部材の固定具を提供することを目的とする。
【課題を解決するための手段】
【０００６】
この発明は、角部の養生を行うための角部養生部材を角部上に固定するための角部養生部材の固定具において、角部上を覆うように成る覆い部と、覆い部の内面側上に高さ方向の一端から所定距離離反させた箇所に凸状の段差を形成する段差部とを備えたものである。
【発明の効果】
【０００７】
この発明の角部養生部材は、角部の養生を行うための角部養生部材を角部上に固定するための角部養生部材の固定具において、角部上を覆うように成る覆い部と、覆い部の内面側上に高さ方向の一端から所定距離離反させた箇所に凸状の段差を形成する段差部とを備えたので、角部養生部材を固定具にて固定することにより、角部養生部材を傷めることなく何度でも繰り返し使用することができる。
【図面の簡単な説明】
【０００８】
【図１】この発明の実施の形態１の角部養生部材の固定具の構成を示した図である。
【図２】図１の角部養生部材の固定具を利用する角部養生部材の構成を示した図である。
【図３】図１の角部養生部材の固定具を用い図２に示した角部養生部材の固定方法を示した図である。
【図４】図１の角部養生部材の固定具を用い図２に示した角部養生部材の固定方法を示した図である。
【図５】図１の角部養生部材の固定具を用い図２に示した角部養生部材の固定方法を示した図である。
【図６】図１の角部養生部材の固定具を用い図２に示した角部養生部材の固定方法を示した図である。
【図７】この発明の実施の形態１の他の角部養生部材の固定具の構成を示した図である。
【図８】この発明の実施の形態１の他の角部養生部材の固定具の構成を示した図である。
【図９】この発明の実施の形態１の他の角部養生部材の固定具および角部養生部材の構成を示した図である。
【発明を実施するための形態】
【０００９】
実施の形態１．
以下、本願発明の実施の形態について説明する。図１はこの発明の実施の形態１における角部養生部材の固定具の構成を示す斜視図、図２は図１の角部養生部材の固定具を利用する角部養生部材の構成を示した斜視図、図３ないし図６は図１の角部養生部材の固定具を用い図２に示した角部養生部材の固定方法を示した図、図７および図８はこの発明の実施の形態１の他の角部養生部材の固定具の構成を示した斜視図、図９はこの発明の実施の形態１の他の角部養生部材の固定具および角部養生部材の構成を示した斜視図である。
【００１０】
図において、角部１００の養生を行うための角部養生部材１０を角部１００上に固定するための角部養生部材１０の固定具１は、角部１００上を覆うように成る覆い部２と、覆い部２の内面２ａ側上に高さ方向の一端２ｂから所定距離ｔ１離反させるとともに、高さ方向の他端２ｃから所定距離ｔ２離反された箇所に凸状の段差を形成する段差部３と、段差部３の内面３ａ側上面の全面に形成された接着部４とを備える。段差部３の段差の厚みｈ１は、角部養生部材１０の厚みｈ２と略同一に形成されている。また、段差部３は、矩形状の板体にて形成されており、この段差部３の矩形状の高さ方向に対して垂直な方向の一辺の長さｔ３は、角部養生部材１０の矩形状の高さ方向に対して垂直な方向の一辺の長さｔ４と略同一の長さにて形成されている。尚、段差部３を形成する矩形状の板体は、四隅が円弧状に面取りされた構造であってもよい。また、接着部４は段差部３の内面３ａ側上面の全面に形成する例を示したが、これに限られることはなく、段差部３の内面３ａ側上面の一部にのみ形成しても、後述する角部１００に接着する場合において接着が可能であればよい。
【００１１】
尚、段差部３の段差の厚みｈ１は、角部養生部材１０の厚みｈ２と略同一に形成する例を示したが、これに限られることはなく、段差部３の段差の厚みｈ１が、角部養生部材１０の厚みｈ２と同じまたはそれより厚ければ、段差部３に形成された接着部４を角部１００に接着することが可能である。よって、段差部３の段差の厚みｈ１を、角部養生部材１０の厚みｈ２より厚く形成すれば、段差部３に形成された接着部４を角部１００に容易に接着させることができる。
【００１２】
所定距離ｔ１とは、角部養生部材１０と覆い部２との重なりを得るための距離であり、この所定距離ｔ１および所定距離ｔ２は角部養生部材１０や固定具１の大きさにより適宜設定されるものである。ここでは、例えば、所定距離ｔ１および所定距離ｔ２は、約２０ｍｍにて構成されている。また、段差部３の厚みｈ１、および、角部養生部材１０の厚みｈ２は、約２〜１０ｍｍにて構成されている。また、段差部３の一辺の長さｔ３、および、角部養生部材１０の一辺の長さｔ４は、約８０ｍｍにて構成されている。
【００１３】
また各部分の材質としては、覆い部２および段差部３は、廃棄処分が行いやすいエコ材で、かつ、低コストである紙材にて形成される例が考えられる。また、接着部４は、例えば弾力性を有する両面テープ材上に、再剥離性の優れている養生テープ材の２層構造にて形成される例が考えられる。尚、接着部４は、さらにその上面に他の部分との接着を防止するための剥離層などが形成されている例も考えられる。また、接着部４は、あらかじめ段差部３の内面３ａ側上面に形成されているのではなく、養生の際に後から段差部３の内面３ａ側上面に形成する例も考えられる。また、角部養生部材１０は、廃棄処分が行いやすいエコ材で、かつ、低コストである紙材にて形成する例が考えられる。また、固定部１および角部養生部材１０は、紙材以外に、プラスチック材、木材などにて形成することも考えられる。
【００１４】
次に上記のように構成された実施の形態１の角部養生部材の固定具の角部養生部材の固定方法について説明する。まず、図３（ａ）に示すように、養生が必要となる角部１００に角部養生部材１０を沿わせて配設する。このままでは、角部養生部材１０は倒れてしまい固定されていない。次に、図３（ｂ）および図４に示すように、角部養生部材１０の高さ方向の一端１０ａ側の上面１０ｂ上に、固定具１の段差部３の形成されていない覆い部２を覆うようにして載置するとともに、角部養生部材１０の高さ方向の一端１０ａを固定具１の段差部３の高さ方向の段差端３ｂに当接させる。次に、固定具１の接着部４を角部１００上に接着させる。このようにすれば、角部養生部材１０の一端１０ａ側は固定具１の覆い部２に押圧されることにより、角部養生部材１０は固定具１により、角部１００に自立して養生されることとなる。
【００１５】
そして、利用後には、角部養生部材１０自体には何ら接着材などが直接接着されることがないため、固定具１を取り除くと角部養生部材１０は養生による傷が生じること無く再利用することができる。また、固定具１は、接着層４自体は複数回利用することができるような材質を選択することにより、複数回の利用が可能である。尚、角部１００とは、図においては略直角にて形成される例を示しているがこれに限られることはなく、直角の部分が面取りされているような構造、丸みを帯びたような構造、飾り彫りなどが形成されいる構造など様々な構造が考えられ、いずれの構造であったとしても、固定具１の覆い部２が覆うことができる程度の構造であれば同様に角部養生部材１０を固定することができる。
【００１６】
また、他の角部養生部材の固定方法は、例えば図５（ａ）に示すように、まず、角部１００に角部養生部材１０の高さ方向の他端１０ｃ側の上面１０ｂ上に固定具１の段差部３の形成されていない覆い部２を載置するとともに、角部養生部材１０の高さ方向の他端１０ｃを固定具１の段差部３の高さ方向の段差端３ｂに当接させる。次に、固定具１の接着部４を角部１００上に接着させる。そして、角部養生部材１０の高さ方向の他端１０ｃ側は固定具１の覆い部２に押圧される。次に、図５（ｂ）に示すように、上記に示した角部養生部材の固定方法と同様に、角部養生部材１０の高さ方向の一端１０ａ側を固定具１により固定する。このように固定することにより、角部養生部材１０を上下端１０ａ、１０ｃにてそれぞれを固定具１にて押圧して固定するため、角部１００に確実に自立して養生することができる。
【００１７】
また、角部養生部材１０の養生する方向を垂直方向にて行う例を示した。これに限られることはなく、角部養生部材１０を水平方向にて養生する場合も同様に行うことができる。また、垂直方向および水平方向以外であっても、図５に示したように、角部養生部材１０の両端を固定具１にて固定する固定方法を用いれば、角部１００の方向性に関係なく角部養生部材１０を固定具１により養生することが可能である。
【００１８】
また、他の角部養生部材の固定方法としては、上記に示したように、図３（ｂ）および図４に示したように角部養生部材１０を固定した後、さらにその上部において角部１００の養生を行う場合、例えば図６に示すように、他の角部養生部材１０の他端１０ｃを固定具１の段差部３の他方の段差端３ｃに当接するように配設してさらに、延長して角部１００を養生することも可能である。この場合、上に延長して養生された角部養生部材１０の上端１０ａ側は固定具１にて上記に示したように固定する。このように養生すれば、角部養生部材１０の長さの違うものを種々取りそろえることなく、長尺な角部１００にも固定具１にて複数の角部養生部材１０を連結することにより容易に養生することが可能である。
【００１９】
また、上記実施の形態１に示した固定具１とは異なり、例えば図７に示すように、覆い部２の内面２ａ側上に高さ方向の一端２ｂから所定距離ｔ５離反させ段差部３１を形成する。この場合、固定具１の上下方向を逆にして利用することにより、覆い部２の段差部３１の形成されていない箇所を上下のいずれにも利用することができる。尚、上記図６に示したように、角部養生部材１０を連結して使用する場合には、固定具１自体を２個用いることにより利用することが可能である。
【００２０】
また、上記実施の形態１に示した固定具１は、角部養生材１０が長さｔ４の略半分長さの箇所にて折り曲げて形成されているため、固定具１においても、長さｔ３の略半分長さの箇所にて折り曲げて形成する例を示したが、これに限られることはなく、角部養生材１０の長さｔ４における折り曲げ位置が左右で長さの異なる場合、固定具１の長さｔ３における折り曲げ位置も角部養生材１０の折り曲げ位置と同様の位置にて折り曲げるようにしてもよい。また、角部養生材１０と固定具１との折り曲げ位置が必ずしも同じ位置に形成されていなくとも、角部養生部材１０の高さ方向の一端１０ａを固定具１の段差部３の高さ方向の段差端３ｂに当接できる箇所を有していれば、上記実施の形態１と同様に固定することができる。
【００２１】
また、上記実施の形態１に示した固定具１のように、段差部３の矩形状の高さ方向に対して垂直な方向の一辺の長さを、角部養生部材１０の矩形状の高さ方向に対して垂直な方向の一辺の長さと略同一に長さにて形成するのではなく、例えば図８に示すように、必要箇所複数の、段差部３３、３４、３５を形成し、その各段差部３３、３４、３５の内面３ａ側上面に接着部４を形成する。尚、段差部３３、３４、３５の全ての内面３ａ側上面に接着部４を備えることはなく、例えば、段差部３３および段差部３５の内面３ａ側上面のみ接着部４を形成する場合、段差部３４の内面３ａ側上面にのみ接着部４を形成する場合も考えられる。そして、このように形成すれば、上記に示した場合と同様に、角部養生部材１０を角部１００に養生することが可能である。この場合、段差部の部材を削減することができる。
【００２２】
また、段差部の形状は矩形以外にも、三角形状、円状などであっても、角部養生部材１０の高さ方向の一端１０ａを固定具１の段差部３の高さ方向の段差端３ｂに当接させるような構成であれば、上記実施の形態１と同様に角部養生部材１０を固定することができる。
【００２３】
また、上記実施の形態１に示したように、角部１００が略直角にて形成されていない場合、例えば、角部が円弧状に形成されているような場合には、図９（ｂ）に示すように、角部養生部材１１をその角部の円弧状に沿うように形成される。よってその場合、固定具１は、図９（ａ）に示すように、覆い部２の外形が角部の円弧状に覆うように形成され、段差部３も同様に覆い部２の内面２ａに沿うように形成されているものである。よって、構成的には上記に示した図１と略同一の構成を有するものであり、角部養生部材１１の固定具１を用いた固定方法は、上記に示した場合と同様に行うことができるためその説明は適宜省略する。また、固定具１の覆い部２および段差部３などを、可撓性を有する材質にて形成し、角部養生部材および角部の形状に沿うように外形を変形可能に形成すれば、略直角の形状も、円弧状も、あらゆる形状の角部養生部材および角部に対応することが可能である。
【００２４】
上記のように構成された実施の形態１の角部養生部材の固定具は、角部の養生を行うための角部養生部材を角部上に固定するための角部養生部材の固定具において、角部上を覆うように成る覆い部と、覆い部の内面側上に高さ方向の一端から所定距離離反させた箇所に凸状の段差を形成する段差部と、段差部の内面側上面に形成された接着部とを備えたので、角部養生部材に傷などを付けることなく何度でも角部に養生することができる。
【００２５】
また、段差部は、覆い部の高さ方向の他端から所定距離離反されて形成されているので、上下の区別無く利用することができる、また、角部養生部材を連結して容易に利用することができる。
【００２６】
また、段差部の段差の厚みは、角部養生部材の厚みと略同一に形成されているため、角部養生部材を角部に養生した場合、固定具の突出を最小限にとどめることができる。
【００２７】
また、段差部の段差の厚みは、角部養生部材の厚みより厚く形成されているため、固定具が角部養生部材より突出して配設されることとなるため、固定具の着脱を容易に行うことができる。
【００２８】
また、段差部は、矩形状の板体にて形成されているため、製造が行いやすく、低コストを実現することができる。
【００２９】
また、段差部の矩形状の高さ方向に対して垂直な方向の一辺の長さは、角部養生部材の矩形状の高さ方向に対して垂直な方向の一辺の長さと略同一に長さにて形成されているため、固定具と角部養生部材とが一体的に養生することができる。
【符号の説明】
【００３０】
１  固定具、２  覆い部、２ａ  内面、２ｂ  一端、２ｃ  他端、
３，３１，３３，３４，３５  段差部、４  接着部、１０  角部養生部材、
１００  角部。
【図１】
2010196337.tif 000003
【図２】
2010196337.tif 000004
【図３】
2010196337.tif 000005
【図４】
2010196337.tif 000006
【図５】
2010196337.tif 000007
【図６】
2010196337.tif 000008
【図７】
2010196337.tif 000009
【図８】
2010196337.tif 000010
【図９】
2010196337.tif 000011